(57)【要約】【課題】電線束の分岐部に取り付けられた電線保護具を備えるワイヤハーネスにおいて、電線束の枝線部を電線保護具内に位置決めする作業を大幅に軽減できること。【解決手段】電線保護具１において、枝線保護部２０は、電線束９における幹線部９１が挿入される溝を形成する幹線保護部１０と一体に形成され、枝線部９２の一部が挿入される溝２３を形成する部分である。枝線保護部２０には第一突起部５１及が形成され、枝線保護部２０の溝２３を塞ぐ枝線用蓋部３２には第二突起部５２が形成されている。合計３つ以上の第一突起部５１及び第二突起部５２は、溝２３内で突起し、溝２３に沿う方向において交互に間隔を空けて並んで形成され、枝線部９２を蛇行する状態に押し曲げる。【選択図】図１
2013090527.tif 000002
【特許請求の範囲】
【請求項１】
幹線部と該幹線部から分岐した枝線部とを有する電線束と、
前記電線束の分岐部を覆う電線保護具と、を備えたワイヤハーネスであって、
前記電線保護具は、
前記電線束における前記幹線部の一部が挿入された第一の溝を形成する幹線保護部と、
前記幹線保護部と一体に形成され、前記電線束における前記枝線部の一部が挿入された第二の溝を形成する枝線保護部と、
前記幹線保護部及び前記枝線保護部と組み合わされて前記第一の溝及び前記第二の溝を塞ぐ蓋部と、
前記枝線保護部に形成され、前記第二の溝内で前記蓋部へ向かって突起するとともに前記第二の溝に沿う方向に交差する方向の稜線をなす頭頂部を有し、該頭頂部が前記枝線部を押し曲げる第一突起部と、
前記蓋部に形成され、前記第二の溝内で前記枝線保護部へ向かって突起するとともに前記第二の溝に沿う方向に交差する方向の稜線をなす頭頂部を有し、該頭頂部が前記枝線部を押し曲げる第二突起部と、を備え、
合計３つ以上の前記第一突起部及び前記第二突起部が、前記第二の溝に沿う方向において交互に間隔を空けて並んで形成されていることを特徴とするワイヤハーネス。
【請求項２】
合計３つ以上の前記第一突起部及び前記第二突起部のうちの少なくとも１つが、前記枝線保護部の先端側から前記幹線保護部側へ傾斜して突起する傾斜突起部を含む、請求項１に記載のワイヤハーネス。
【請求項３】
前記第一突起部及び前記第二突起部の前記頭頂部に凹凸が形成されている、請求項１又は請求項２のいずれかに記載のワイヤハーネス。
【請求項４】
前記電線束の前記枝線部は、前記幹線部から分岐した電線を覆う可撓性を有する筒状の部材である保護チューブを備え、
前記保護チューブにおける、前記第一突起部及び前記第二突起部により押し曲げられた部分の前記第一突起部及び前記第二突起部に対向する外側面には、周方向に沿う複数の切り目が形成されている、請求項１から請求項３のいずれかに記載のワイヤハーネス。
【請求項５】
幹線部と該幹線部から分岐した枝線部とを有する電線束における分岐部を覆う電線保護具であって、
前記電線束における前記幹線部の一部が挿入される第一の溝を形成する幹線保護部と、
前記幹線保護部と一体に形成され、前記電線束における前記枝線部の一部が挿入される第二の溝を形成する枝線保護部と、
前記幹線保護部及び前記枝線保護部と組み合わされて前記第一の溝及び前記第二の溝を塞ぐ蓋部と、
前記枝線保護部に形成され、前記第二の溝内で前記蓋部へ向かって突起するとともに前記第二の溝に沿う方向に交差する方向の稜線をなす頭頂部を有する第一突起部と、
前記蓋部に形成され、前記第二の溝内で前記枝線保護部へ向かって突起するとともに前記第二の溝に沿う方向に交差する方向の稜線をなす頭頂部を有する第二突起部と、を備え、
合計３つ以上の前記第一突起部及び前記第二突起部が、前記第二の溝に沿う方向において交互に間隔を空けて並んで形成されていることを特徴とする電線保護具。
【発明の詳細な説明】
【技術分野】
【０００１】
本発明は、電線束の分岐部を保護する電線保護具及びそれを備えたワイヤハーネスに関する。
【背景技術】
【０００２】
自動車などの車両に搭載されるワイヤーハーネスは、幹線部から１つ又は複数の枝線部へ枝分かれした分岐構造を有する電線束を備えることが多い。さらに、ワイヤーハーネスは、電線束の分岐部に取り付けられた電線保護具を備えることが多い。分岐部用の電線保護具は、周辺の部材から電線を保護し、電線束の分岐形状を所望の形状に維持するための部材であり、通常、樹脂の成形部材である。
【０００３】
分岐部用の電線保護具は、幹線部が挿入される溝を形成する幹線保護部と、枝線部が挿入される溝を形成する枝線保護部とを有する。そして、電線束の枝線部は、電線保護具の枝線保護部に位置決めされる。従来、電線束の枝線部を電線保護具の枝線保護部に位置決めするためにいくつかの手段が採用されている。
【０００４】
例えば、特許文献１には、電線束の枝線部が、電線保護具における枝線保護部の先端部分に粘着テープにより固定されることが示されている。
【０００５】
また、特許文献２には、電線束の枝線部が、電線保護具における枝線保護部の先端部分に結束用ベルトにより固定されることが示されている。さらに、特許文献２には、電線束の枝線部が、電線保護具の溝内に設けられた壁に沿って折り返された上で枝線の出口まで配線されることにより、枝線部が電線保護具内で位置決めされることが示されている。
【０００６】
また、特許文献３には、電線束の枝線部が、電線保護具における枝線保護部の側壁に設けられた複数の壁の間に曲げて挿入されることにより、枝線部が枝線保護部内で位置決めされる構造が示されている。
【先行技術文献】
【特許文献】
【０００７】
【特許文献１】特開平１１−１６２２６２号公報
【特許文献２】特開２００７−３３０００５号公報
【特許文献３】特開２００４−１６６４５４号公報
【発明の概要】
【発明が解決しようとする課題】
【０００８】
しかしながら、電線束の枝線部が、電線保護具の一部に粘着テープ又は結束用ベルトにより固定される場合、枝線部の固定に要する作業工数及び部品管理の工数が大きくなる。また、ワイヤハーネスの製造工数の低減のため、電線束の枝線部を曲げながら電線保護具の溝内の壁の間に配線する作業についても、さらなる作業工数の低減が求められている。
【０００９】
本発明は、電線束の分岐部に取り付けられた電線保護具を備えるワイヤハーネスにおいて、電線束の枝線部を電線保護具内に位置決めする作業を大幅に軽減できることを目的とする。
【課題を解決するための手段】
【００１０】
第１発明に係るワイヤハーネスは、幹線部とその幹線部から分岐した枝線部とを有する電線束と、前記電線束の分岐部を覆う電線保護具と、を備える。さらに、第１発明に係るワイヤハーネスにおいて、前記電線保護具は、以下に示される各構成要素を備える。
（１）第１の構成要素は、前記電線束における前記幹線部の一部が挿入された第一の溝を形成する幹線保護部である。
（２）第２の構成要素は、前記幹線保護部と一体に形成され、前記電線束における前記枝線部の一部が挿入された第二の溝を形成する枝線保護部である。
（３）第３の構成要素は、前記幹線保護部及び前記枝線保護部と組み合わされて前記第一の溝及び前記第二の溝を塞ぐ蓋部である。
（４）第４の構成要素は、前記枝線保護部に形成され、前記第二の溝内で前記蓋部へ向かって突起するとともに前記第二の溝に沿う方向に交差する方向の稜線をなす頭頂部を有し、該頭頂部が前記枝線部を押し曲げる第一突起部である。
（５）第５の構成要素は、前記蓋部に形成され、前記第二の溝内で前記枝線保護部へ向かって突起するとともに前記第二の溝に沿う方向に交差する方向の稜線をなす頭頂部を有し、該頭頂部が前記枝線部を押し曲げる第二突起部である。さらに、第１発明に係るワイヤハーネスの前記電線保護具において、合計３つ以上の前記第一突起部及び前記第二突起部が、前記第二の溝に沿う方向において交互に間隔を空けて並んで形成されている。
【００１１】
第２発明に係るワイヤハーネスは、第１発明に係るワイヤハーネスの一例である。第２発明に係るワイヤハーネスの前記電線保護具において、合計３つ以上の前記第一突起部及び前記第二突起部のうちの少なくとも１つが、前記枝線保護部の先端側から前記幹線保護部側へ傾斜して突起する傾斜突起部を含む。
【００１２】
第３発明に係るワイヤハーネスは、第１発明又は第２発明に係るワイヤハーネスの一例である。第３発明に係るワイヤハーネスの前記電線保護具において、前記第一突起部及び前記第二突起部の前記頭頂部に凹凸が形成されている。
【００１３】
第４発明に係るワイヤハーネスは、第１発明から第３発明のいずれかに係るワイヤハーネスの一例である。第４発明に係るワイヤハーネスにおいて、前記電線束の前記枝線部は、前記幹線部から分岐した電線を覆う可撓性を有する筒状の部材である保護チューブを備える。この保護チューブにおける、前記第一突起部及び前記第二突起部により押し曲げられた部分の前記第一突起部及び前記第二突起部に対向する外側面には、周方向に沿う複数の切り目が形成されている。
【００１４】
また、本発明は、第１発明から第４発明に係るワイヤハーネスが備える電線保護具の発明として捉えられてもよい。
【発明の効果】
【００１５】
第１発明において、電線束の枝線部は、枝線保護部の溝内において、枝線保護部から突起する第一突起部及び蓋部から突起する第二突起部からなる３つ以上の突起部により上下から交互に押し曲げられ、蛇行した状態で保持される。そのため、枝線部に引っ張り力が加わった場合でも、蛇行した状態の枝線部は、突起部に引っ掛かって位置がずれず、枝線保護部の溝内に安定的に位置決めされる。
【００１６】
また、第１発明において、３つ以上の突起部は、枝線保護部と枝線保護部の溝を塞ぐ蓋部とに分かれて形成されている。そのため、電線束の枝線部が、枝線保護部の溝内に真っ直ぐな状態で挿入された後、枝線保護部の溝が、蓋部によって塞がれるだけで、枝線部は、３つ以上の突起部により押し曲げられて蛇行した状態となる。即ち、第１発明によれば、電線束の枝線部を曲げながら枝線保護部の溝内に配線する作業は不要であり、電線束の枝線部を電線保護具内に位置決めする作業が大幅に軽減される。
【００１７】
さらに、第２発明に係るワイヤハーネスにおいては、電線束の枝線部に引っ張り力が加わった場合、傾斜突起部をより高く起き上がらせる方向へ撓ませるような力が、枝線部から傾斜突起部に対して作用する。そのため、傾斜突起部が撓むほどの強い力が電線束の枝線部に対して加わった場合、傾斜突起部は、枝線部をより大きく蛇行させるように押し曲げる。従って、第２発明によれば、傾斜突起部を含む突起部による枝線部の保持力がより高まる。
【００１８】
さらに、第３発明によれば、突起部の頭頂部の凹凸が、枝線部とそれに接する突起部の頭頂部との摩擦抵抗を高めるため、枝線部が突起部に対して滑って位置ずれする不都合は生じにくくなる。
【００１９】
さらに、第４発明によれば、突起部の頭頂部が、枝線部における保護チューブの切り目に引っ掛かることにより、枝線部が突起部に対して滑って位置ずれする不都合はさらに生じにくくなる。
【図面の簡単な説明】
【００２０】
【図１】本発明の第１実施形態に係る電線保護具１の斜視図である。
【図２】本発明の第１実施形態に係るワイヤハーネス２の斜視図である。
【図３】ワイヤハーネス１における枝線部の部分の断面図である。
【図４】本発明の第２実施形態に係るワイヤハーネス２Ａにおける枝線部の部分の断面図である。
【図５】本発明の第３実施形態に係るワイヤハーネス２Ｂにおける枝線部の部分の断面図である。
【図６】本発明の第４実施形態に係るワイヤハーネス２Ｃにおける枝線部の部分の断面図である。
【発明を実施するための形態】
【００２１】
以下、添付の図面を参照しながら、本発明の実施形態について説明する。以下の実施形態は、本発明を具体化した一例であり、本発明の技術的範囲を限定する事例ではない。
【００２２】
＜第１実施形態＞
まず、図１から図３を参照しつつ、本発明の第１実施形態に係る電線保護具１及びそれを備えたワイヤハーネス２の構成について説明する。ワイヤハーネス２は、自動車などの車両に搭載されるワイヤハーネスである。また、電線保護具１は、ワイヤハーネス２が備える電線束９の分岐部に取り付けられる保護具である。
【００２３】
＜電線保護具＞
図１及び図２に示されるように、電線保護具１は、幹線部９１と幹線部９１から分岐した枝線部９２とを有する電線束９における分岐部を覆う保護具である。電線保護具１は、幹線保護部１０と、枝線保護部２０と、蓋部３０と、ロック機構４１，４２と、突起部５１，５２とを有している。なお、図１において、電線束９は仮想線（二点鎖線）により描かれている。
【００２４】
電線保護具１は、例えば、ポリアミド（ＰＡ）、ポリプロピレン（ＰＰ）、ポリブチレンテレフタレート（ＰＢＴ）又はＡＢＳ樹脂などの絶縁性の樹脂からなる部材である。
【００２５】
＜幹線保護部＞
幹線保護部１０は、電線束９における幹線部９１の一部が挿入される幹線用溝１３を形成する部分である。より具体的には、幹線保護部１０は、樋状に形成された部分であり、幹線用溝１３の底面を形成する底板部１１と、幹線用溝１３の両側面を形成する一対の側壁部１２とにより構成されている。一対の側壁部１２のうちの一方における枝線保護部２０と連なる部分には、開口が形成されている。
【００２６】
＜枝線保護部＞
枝線保護部２０は、幹線保護部１０と一体に形成され、電線束９における枝線部９２の一部が挿入される枝線用溝２３を形成する部分である。より具体的には、枝線保護部２０は、樋状に形成された部分であり、枝線用溝２３の底面を形成する底板部２１と、枝線用溝２３の両側面を形成する一対の側壁部２２により構成されている。枝線用溝２３の一端は、幹線保護部１０の一方の側壁部１２に形成された開口を通じて幹線用溝１３と連通している。
【００２７】
枝線保護部２０における幹線保護部１０に対して反対側の開放端が、枝線出口２４である。以下の説明において、枝線保護部２０における幹線保護部１０側を根元側、枝線保護部２０における枝線出口２４側を先端側と称する。
【００２８】
各図に示される座標軸において、Ｘ軸方向は、枝線用溝２３に沿う方向を表し、Ｙ軸方向は、枝線用溝２３の幅方向、即ち、枝線用溝２３に沿う方向に直交する方向を表し、Ｚ軸方向は、枝線用溝２３の深さ方向を表す。図１及び図２に示される例では、枝線保護部２０は、幹線用溝１３に対して直交する方向に沿う枝線用溝２３を形成している。
【００２９】
＜蓋部＞
蓋部３０は、幹線保護部１０及び枝線保護部２０と組み合わされて幹線用溝１３及び枝線用溝２３を塞ぐ部分である。より具体的には、蓋部３０は、板状に形成され、幹線用溝１３の開口を塞ぐ幹線用蓋部３１と、枝線用溝２３の開口を塞ぐ枝線用蓋部３２とにより構成されている。組み合わされた幹線保護部１０及び枝線保護部２０は、分岐した筒を形成する。
【００３０】
本実施形態では、幹線保護部１０と蓋部３０とは、柔軟性を有する連結部４０を介して繋がっている。連結部４０は、幹線保護部１０に対して蓋部３０を回動可能に支持するヒンジである。なお、幹線保護部１０及び枝線保護部２０からなる本体部と蓋部３０とは、それぞれ個別の部材であることも考えられる。以下の説明において、電線保護具１における幹線保護部１０及び枝線保護部２０の部分のことを本体部１０，２０と称する。
【００３１】
＜ロック機構＞
また、本体部１０，２０及び蓋部３０には、蓋部３０が本体部１０，２０における幹線用溝１３及び枝線用溝２３を塞ぐ状態で、蓋部３０を本体部１０，２０に固定するロック機構４１，４２が設けられている。
【００３２】
図１及び図２に示されるロック機構４１，４２は、蓋部３０の外縁から本体部１０，２０側へ突出して形成された爪部４２と、本体部１０，２０の外縁に形成された枠部４１とにより構成されている。爪部４２が枠部４１の中空部に挿入されることにより、爪部４２の一部が枠部４１に引っ掛かり、蓋部３０が本体部１０，２０に固定される。これにより、蓋部３０は、本体部１０，２０と組み合わされた状態、即ち、本体部１０，２０における幹線用溝１３及び枝線用溝２３を塞ぐ状態で保持される。
【００３３】
＜突起部＞
また、電線保護具１は、蓋部３０の枝線用蓋部３２及び枝線保護部２０の部分、即ち、電線束９の枝線部９２の周囲を囲う部分に形成された３つ以上の突起部を備える。以下の説明において、枝線保護部２０に形成された突起部を第一突起部５１、枝線用蓋部３２側に形成された突起部を第二突起部５２と称する。
【００３４】
第一突起部５１は、枝線保護部２０に形成され、枝線用溝２３内で蓋部３０へ向かって突起している。さらに、第一突起部５１は、枝線用溝２３に沿う方向に交差する方向の稜線をなす頭頂部５１１を有する。即ち、第一突起部５１は、枝線用溝２３を横断する壁状に形成されている。本実施形態では、第一突起部５１は、枝線用溝２３の幅方向の稜線をなす頭頂部５１１を有する。
【００３５】
また、第二突起部５２は、枝線用蓋部３２に形成され、枝線用溝２３内で枝線保護部２０へ向かって突起している。さらに、第二突起部５２は、枝線用溝２３に沿う方向に交差する方向の稜線をなす頭頂部５２１を有する。即ち、第二突起部５２は、枝線用溝２３を横断する壁状に形成されている。本実施形態では、第二突起部５２は、枝線用溝２３の幅方向の稜線をなす頭頂部５２１を有する。
【００３６】
本実施形態では、第一突起部５１及び第二突起部５２は、湾曲して凹んだ稜線をなす頭頂部５１１，５２１を有する。これにより、第一突起部５１及び第二突起部５２各々の頭頂部５１１，５２１は、枝線部９２における湾曲した周面に対してより広い範囲で接する。
【００３７】
また、本実施形態では、第一突起部５１及び第二突起部５２は、枝線用溝２３の深さ方向に沿って、即ち、枝線保護部２０の底板部２１及び枝線用蓋部３２の各々から垂直に起立して形成されている。
【００３８】
なお、第一突起部５１の頭頂部５１１及び第二突起部５２の頭頂部５２１のうちの一方又は両方が、枝線用溝２３に沿う方向に対して斜めに交差する稜線をなすことも一応考えられる。
【００３９】
第一突起部５１及び第二突起部５２は、枝線用溝２３の深さに満たない高さで形成されている。そのため、蓋部３０が本体部１０，２０に組み合わされた状態において、第一突起部５１と枝線用蓋部３２との間、及び、第二突起部５２と枝線保護部２０の底板部２１との間、の各々に、枝線部９２を敷設可能な空間が形成されている。
【００４０】
また、第一突起部５１の頭頂部５１１及び第二突起部５２の頭頂部５２１には、凹凸が形成されている。この凹凸は、枝線部９２に対する第一突起部５１及び第二突起部５２の摩擦抵抗を高める役割を果たす。
【００４１】
本実施形態においては、第一突起部５１は、枝線保護部２０を構成する底板部２１及び一対の側壁部２２の両方に連なって形成されている。そのため、第一突起部５１は、一対の側壁部２２に連なった部分において補強され、撓みにくい構造を有している。
【００４２】
一方、第二突起部５２は、その根元部分のみが枝線用蓋部３２に連なって形成されている。そのため、第二突起部５２は、第一突起部５１と同じ厚みで形成されている場合、第一突起部５１よりも撓みやすい。
【００４３】
また、合計３つ以上の第一突起部５１及び第二突起部５２は、枝線用溝２３に沿う方向（Ｘ軸方向）において交互に間隔を空けて並んで形成されている。ここで、「交互に」とは、第一突起部５１どうし、又は、第二突起部５２どうしが隣り合うことがなく、必ず、第一突起部５１と第二突起部５２とが隣り合うことを意味する。従って、第一突起部５１の数及び第二突起部５２の数は、等しい又は一方が１つ多い。
【００４４】
図１及び図３に示される例では、２つの第一突起部５１と１つの第二突起部５２とが、枝線用溝２３に沿う方向（Ｘ軸方向）において交互に間隔を空けて並んで形成されている。なお、１つの第一突起部５１と２つの第二突起部５２とが、交互に間隔を空けて並んで形成されることも考えられる。また、合計４つ以上の第一突起部５１及び第二突起部５２が、交互に間隔を空けて並んで形成されることも考えられる。
【００４５】
＜ワイヤハーネス＞
続いて、本発明の第１実施形態に係るワイヤハーネス２について説明する。図３は、ワイヤハーネス２における枝線部９２の部分の断面図である。
【００４６】
ワイヤハーネス２は、電線束９と、電線束９の分岐部を覆う電線保護具１とを備える。ワイヤハーネス２において、電線束９における幹線部９１の一部が、電線保護具１の幹線保護部１０における幹線用溝１３に挿入されている。さらに、電線束９における枝線部９２の一部が、電線保護具１の枝線保護部２０における枝線用溝２３に挿入されている。
【００４７】
本実施形態では、電線束９の枝線部９２は、幹線部９１から分岐した電線である１本又は複数本の枝線９２１と、枝線９２１を覆う可撓性を有する筒状の部材である保護チューブ９２２とを有する。保護チューブ９２２は、例えば、ポリアミド、シリコン、ポリプロピレン又はポリエチレンなどの樹脂材料からなる。
【００４８】
また、保護チューブ９２２は、不図示の粘着テープなどによって枝線９２１に固定されている。枝線部９２の末端には、コネクタ９３が設けられている。
【００４９】
図３に示されるように、電線束９の枝線部９２は、枝線保護部２０の枝線用溝２３内において、枝線保護部２０から突起する第一突起部５１及び枝線用蓋部３２から突起する第二突起部５２からなる３つ以上の突起部により上下から交互に押し曲げられ、蛇行した状態で保持されている。
【００５０】
＜効果＞
図３に示されるように、ワイヤハーネス２において、電線束９の枝線部９２は、枝線保護部２０の枝線用溝２３内において、３つ以上の突起部により押し曲げられ、蛇行した状態で保持されている。そのため、枝線部９２に引っ張り力が加わった場合でも、蛇行した状態の枝線部９２は、突起部５１，５２に引っ掛かって位置がずれず、枝線保護部２０の枝線用溝２３内に安定的に位置決めされる。
【００５１】
また、ワイヤハーネス２、３つ以上の突起部５１，５２は、枝線保護部２０と枝線用溝２３を塞ぐ枝線用蓋部３２とに分かれて形成されている。そのため、電線束９の枝線部９２が、枝線保護部２０の枝線用溝２３内に真っ直ぐな状態で挿入された後、本体部１０，２０の溝１３，２３が蓋部３０によって塞がれるだけで、枝線部９２は、３つ以上の突起部５１，５２により押し曲げられて蛇行した状態となる。
【００５２】
即ち、電線保護具１が採用されることにより、電線束９の枝線部９２を曲げながら枝線用溝２３内に配線する作業は不要であり、枝線部９２を電線保護具１内に位置決めする作業が大幅に軽減される。
【００５３】
さらに、電線保護具１が採用されることにより、各突起部の頭頂部５１１，５２１の凹凸が、枝線部９２とそれに接する突起部５１，５２の頭頂部５１１，５２１との摩擦抵抗を高めるため、枝線部９２が突起部５１，５２に対して滑って位置ずれする不都合は生じにくくなる。
【００５４】
＜第２実施形態＞
次に、図４を参照しつつ、本発明の第２実施形態に係る電線保護具１Ａ及びそれを備えるワイヤハーネス２Ａについて説明する。ワイヤハーネス２Ａは、図１から図３に示されたワイヤハーネス２と比較して、電線保護具における一部の突起部の形状のみが異なる構成を有している。図４において、図１から図３に示される構成要素と同じ構成要素は、同じ参照符号が付されている。以下、電線保護具１Ａにおける電線保護具１と異なる点についてのみ説明する。
【００５５】
電線保護具１Ａは、枝線保護部２０に形成された２つの第一突起部５１と、枝線用蓋部３２に形成された１つの第二突起部５２Ａとを備える。電線保護具１Ａの第一突起部５１は、電線保護具１の第一突起部５１と同じ構造を有する。
【００５６】
一方、電線保護具１Ａの第二突起部５２Ａは、電線保護具１の第二突起部５２とは異なり、枝線保護部２０の先端側（枝線出口２４側）から根元側（幹線保護部１０側）へ傾斜して突起している。第二突起部５２Ａは、傾斜突起部の一例であり、電線保護具１Ａは、枝線部９２を押し曲げる３つ以上の突起部のうちの一部が傾斜突起部である場合の例である。
【００５７】
ワイヤハーネス２においては、電線束９の枝線部９２に対して末端方向Ｄ１への引っ張り力が加わった場合、第二突起部５２Ａをより高く起き上がらせる方向Ｄ２へ撓ませるような力が、枝線部９２から第二突起部５２Ａに対して作用する。そのため、第二突起部５２Ａが撓むほどの強い力が電線束９の枝線部９２に対して加わった場合、第二突起部５２Ａは、枝線部９２をより大きく蛇行させるように押し曲げる。
【００５８】
従って、電線保護具１Ａが採用されることにより、電線保護具１が採用された場合と同様の作用及び効果が得られ、さらに、第二突起部５２Ａを含む３つ以上の突起部による枝線部９２の保持力がより高まる。
【００５９】
また、電線保護具１Ａが採用された場合、特に補強がなされておらず傾斜して起立する第二突起部５２Ａは、その頭頂部５２１が枝線用溝２３の深さ方向において変形可能な可撓性を有する。そのため、第二突起部５２Ａは、比較的細い枝線部９２を押し曲げることが可能な程度に背が高く形成されていれば、その可撓性により比較的太い枝線部９２に対しても適応可能である。従って、枝線部９２の太さに対する適応性が高まる。
【００６０】
＜第３実施形態＞
次に、図５を参照しつつ、本発明の第３実施形態に係る電線保護具１Ｂ及びそれを備えるワイヤハーネス２Ｂについて説明する。ワイヤハーネス２Ｂは、図１から図３に示されたワイヤハーネス２と比較して、電線保護具における３つの突起部の形状のみが異なる構成を有している。図５において、図１から図４に示される構成要素と同じ構成要素は、同じ参照符号が付されている。以下、電線保護具１Ｂにおける電線保護具１及び電線保護具１Ａと異なる点についてのみ説明する。
【００６１】
電線保護具１Ｂは、枝線保護部２０に形成された２つの第一突起部５１Ａと、枝線用蓋部３２に形成された１つの第二突起部５２Ａとを備える。電線保護具１Ｂの第二突起部５２Ａは、電線保護具１Ａの第二突起部５２Ａと同じ構造を有する傾斜突起部である。
【００６２】
一方、電線保護具１Ｂの第一突起部５１Ａは、電線保護具１，１Ａの第一突起部５１とは異なり、枝線保護部２０の先端側（枝線出口２４側）から根元側（幹線保護部１０側）へ傾斜して突起している。さらに、電線保護具１Ｂの第一突起部５１Ａは、枝線保護部２０における一対の側壁部２２各々との間に隙間を隔てて形成されている。即ち、電線保護具１Ｂの第一突起部５１Ａは、一対の側壁部２２と連なっていないため、電線保護具１，１Ａの第一突起部５１よりも撓みやすい。
【００６３】
第一突起部５１Ａ及び第二突起部５２Ａは、傾斜突起部の一例であり、電線保護具１Ｂは、枝線部９２を押し曲げる３つ以上の突起部の全てが傾斜突起部である場合の例である。
【００６４】
ワイヤハーネス２においては、電線束９の枝線部９２に対して末端方向Ｄ１への引っ張り力が加わった場合、第一突起部５１Ａ及び第二突起部５２Ａをより高く起き上がらせる方向Ｄ２，Ｄ３へ撓ませるような力が、枝線部９２から第一突起部５１Ａ及び第二突起部５２Ａに対して作用する。そのため、第一突起部５１Ａ及び第二突起部５２Ａが撓むほどの強い力が電線束９の枝線部９２に対して加わった場合、第一突起部５１Ａ及び第二突起部５２Ａは、枝線部９２をより大きく蛇行させるように押し曲げる。
【００６５】
従って、電線保護具１Ｂが採用されることにより、電線保護具１が採用された場合と同様の作用及び効果が得られ、さらに、第一突起部５１Ａ及び第二突起部５２Ａによる枝線部９２の保持力がより高まる。
【００６６】
また、電線保護具１Ｂが採用された場合、特に補強がなされておらず傾斜して起立する第一突起部５１Ａ及び第二突起部５２Ａは、それらの頭頂部５１１，５２１が枝線用溝２３の深さ方向において変形可能な可撓性を有する。そのため、第一突起部５１Ａ及び第二突起部５２Ａは、比較的細い枝線部９２を押し曲げることが可能な程度に背が高く形成されていれば、その可撓性により比較的太い枝線部９２に対しても適応可能である。従って、枝線部９２の太さに対する適応性が高まる。
【００６７】
＜第４実施形態＞
次に、図６を参照しつつ、本発明の第４実施形態に係るワイヤハーネス２Ｃについて説明する。ワイヤハーネス２Ｃは、図１から図３に示されたワイヤハーネス２と比較して、枝線部９２における保護チューブの構造のみが若干異なる構成を有している。図６において、図１から図３に示される構成要素と同じ構成要素は、同じ参照符号が付されている。以下、ワイヤハーネス２Ｃにおけるワイヤハーネス２と異なる点についてのみ説明する。
【００６８】
ワイヤハーネス２Ｃは、ワイヤハーネス２と同様に、枝線９２１を覆う可撓性を有する筒状の部材である保護チューブ９２２Ａを有する。但し、ワイヤハーネス２Ｃの保護チューブ９２２Ａにおける、第一突起部５１及び第二突起部５２により押し曲げられた部分の第一突起部５１及び第二突起部５２に対向する外側面には、周方向に沿う複数の切り目９２２１が形成されている。
【００６９】
ワイヤハーネス２Ｃが採用されることにより、ワイヤハーネス２が採用された場合と同様の作用及び効果が得られる。さらに、ワイヤハーネス２Ｃが採用されることにより、各突起部５１，５２の頭頂部５１１，５２１が、枝線部９２における保護チューブ９２２Ａの切り目９２２１に引っ掛かることにより、枝線部９２が突起部５１，５２に対して滑って位置ずれする不都合はさらに生じにくくなる。
【００７０】
＜その他＞
電線保護具１，１Ａ，１Ｂにおいて、枝線保護部２０は、幹線用溝１３に対して直交する方向に沿う枝線用溝２３を形成している。しかしながら、枝線保護部２０が、幹線用溝１３に対して９０°以外の角度をなす方向に沿う枝線用溝２３を形成することも考えられる。
【００７１】
また、電線保護具１，１Ａ，１Ｂは、１つの枝線保護部２０のみ備えている。しかしながら、電線保護具１，１Ａ，１Ｂが、１つの幹線保護部１０と複数の枝線保護部２０とを備えることも考えられる。
【００７２】
また、電線保護具１，１Ａ，１Ｂにおいて、枝線保護部２０は、幹線用溝１３の中間部分から枝分かれした枝線用溝２３を形成している。しかしながら、電線保護具１が、複数の枝線保護部２０を備え、それら複数の枝線保護部２０が、幹線用溝１３の一方の端から複数の方向へ分岐した複数の枝線用溝２３を形成することも考えられる。
【符号の説明】
【００７３】
１，１Ａ，１Ｂ  電線保護具
２，２Ａ，２Ｂ，２Ｃ  ワイヤハーネス
９  電線束
１０  幹線保護部（本体部）
１１  幹線保護部の底板部
１２  幹線保護部の側壁部
１３  幹線用溝
２０  枝線保護部
２１  枝線保護部の底板部
２２  枝線保護部の側壁部
２３  枝線用溝
２４  枝線出口
３０  蓋部
３１  幹線用蓋部
３２  枝線用蓋部
４０  連結部
４１  枠部（ロック機構）
４２  爪部（ロック機構）
５１，５１Ａ  第一突起部
５２，５２Ａ  第二突起部
９１  幹線部
９２  枝線部
９３  コネクタ
５１１  第一突起部の頭頂部
５２１  第二突起部の頭頂部
９２１  枝線
９２２，９２２Ａ  保護チューブ
９２２１  切り目
【図１】
2013090527.tif 000003
【図２】
2013090527.tif 000004
【図３】
2013090527.tif 000005
【図４】
2013090527.tif 000006
【図５】
2013090527.tif 000007
【図６】
2013090527.tif 000008